(57)【要約】  本発明の一実施例によるバッテリーパックのターミナルをカバーし、脱着可能にバッテリーパックに装着されるターミナルカバーは、バッテリーパックのパックケースにフック結合するカバー本体と、カバー本体の両側面に設けられ、使用者の押圧によってカバー本体のフック結合を解除する脱去ガイド部と、を含むことを特徴とする。
2020521296.tif 000002
【特許請求の範囲】
【請求項１】
バッテリーパックのターミナルをカバーし、脱着可能に前記バッテリーパックに装着されるターミナルカバーであって、
前記バッテリーパックのパックケースにフック結合するカバー本体と、
前記カバー本体の両側面に設けられ、使用者の押圧によって前記カバー本体のフック結合を解除する脱去ガイド部と、
を含むことを特徴とするターミナルカバー。
【請求項２】
前記カバー本体の底部一側には、
前記パックケースとフック結合するフックが備えられ、
前記脱去ガイド部は、
前記フックと所定の距離を隔てて離隔しており、前記使用者の押圧によって弾性変形されて、前記フックを前記パックケースから分離することを特徴とする請求項１に記載のターミナルカバー。
【請求項３】
前記脱去ガイド部が、前記カバー本体に一体で形成されることを特徴とする請求項２に記載のターミナルカバー。
【請求項４】
前記脱去ガイド部が、前記弾性変形のための所定の空間を確保するために前記パックケースと所定の距離を隔てて離隔して配置されることを特徴とする請求項２又は３に記載のターミナルカバー。
【請求項５】
前記カバー本体が、弾性変形可能な軟性材質として設けられることを特徴とする請求項１から４のいずれか一項に記載のターミナルカバー。
【請求項６】
前記カバー本体の内面に備えられ、前記ターミナルカバーの装着時、前記カバー本体の内面と前記ターミナルの外面との間に配置される弾性スペイサーをさらに含むことを特徴とする請求項１から５のいずれか一項に記載のターミナルカバー。
【請求項７】
少なくとも一つの、請求項１から６のいずれか一項に記載のターミナルカバーと、
前記ターミナルカバーによってカバーされる少なくとも一つのターミナルと、
前記少なくとも一つのターミナルと電気的に接続するバッテリーモジュールと、
前記バッテリーモジュールをパッケージングするパックケースと、
を含むことを特徴とするバッテリーパック。
【請求項８】
前記パックケースには、前記カバー本体とフック結合するフック結合部が設けられることを特徴とする請求項７に記載のバッテリーパック。
【発明の詳細な説明】
【技術分野】
【０００１】
本発明は、ターミナルカバー及びこれを含むバッテリーパックに関する。
本出願は、２０１８年１月１９日出願の韓国特許出願第１０−２０１８−０００７０４４号に基づく優先権を主張し、該当出願の明細書及び図面に開示された内容は、すべて本出願に組み込まれる。
【背景技術】
【０００２】
多様な製品への適用が容易であり、高いエネルギー密度などの電気的特性を有する二次電池は、携帯用器機のみならず電気的駆動源によって駆動する電気自動車（ＥＶ：Electric Vehicle）またはハイブリッド自動車（ＨＥＶ：Hybrid Electric Vehicle）などに普遍的に適用されている。このような二次電池は、化石燃料の使用を画期的に減少させることができるという一次的な長所だけでなく、エネルギーの使用に伴う副産物が一切発生しないという点で環境に優しく、エネルギー効率性の向上のための新しいエネルギー源として注目されている。
【０００３】
現在、広く使用される二次電池の種類としては、リチウムイオン電池、リチウムポリマー電池、ニッケルカドミウム電池、ニッケル水素電池、ニッケル亜鉛電池などがある。このような単位二次電池セル、即ち、単位バッテリーセルの作動電圧は約２．５Ｖ〜４．６Ｖである。したがって、これよりさらに高い出力電圧が要求される場合、複数の二次電池セルを直列接続してバッテリーパックを構成する。また、バッテリーパックに要求される充放電容量によって複数の二次電池セルを並列接続してバッテリーパックを構成し得る。したがって、前記バッテリーパックに含まれるバッテリーセルの個数は、要求される出力電圧または充放電容量によって多様に設定することができる。
【０００４】
一方、複数の二次電池セルを直列・並列接続してバッテリーパックを構成する場合、少なくとも一つのバッテリーセルからなるバッテリーモジュールを先に構成し、このような少なくとも一つのバッテリーモジュールを用いてその他の構成要素を追加してバッテリーパックを構成する方法が通常である。ここで、バッテリーモジュールやバッテリーパックを構成するバッテリーセルは、通常、容易に相互積層可能な利点を有するパウチ型二次電池として備えられる。
【０００５】
従来のバッテリーパックは、少なくとも一つのバッテリーセルを含む少なくとも一つのバッテリーモジュールと、少なくとも一つのバッテリーモジュールと接続し、外部電源などとの接続のための少なくとも一つのターミナルと、少なくとも一つのターミナルを外部に露出させながら少なくとも一つのバッテリーモジュールをパッケージングするパックケースと、を含んで構成される。ここで、従来のバッテリーパックは、通常、バッテリーパックの運搬などによる移動時、外部に露出するターミナルの保護のためにパックケースに脱着可能に結合するターミナルカバーをさらに含んで構成される。このような従来のターミナルカバーは、通常、使用者の操作による回転動作によって前記パックケースから脱去される構造を有する。
【０００６】
しかし、従来のターミナルカバーの場合、使用者の操作による回転によって摩耗が発生しやすくてパックケースとの締結力が弱くなると共に、パックケースが損傷するという問題がある。
【０００７】
また、従来のターミナルカバーの場合、使用者がコーティンググローブなどを着用せずに素手でターミナルカバーを回転操作しにくいという問題がある。即ち、従来のターミナルカバーにおいては、使用者の手の状態によって脱去のための操作が難しくなり得る問題がある。
【０００８】
そこで、脱着によるパックケースの損傷を防止し、より容易な脱着性を有するターミナルカバー及びこれを含むバッテリーパックを提供することができる方案の模索が求められる。
【発明の概要】
【発明が解決しようとする課題】
【０００９】
本発明は、脱着によるパックケースの損傷を防止できるターミナルカバー及びこれを含むバッテリーパックを提供することを目的とする。
【００１０】
また、本発明は、より容易な脱着性を有するターミナルカバー及びこれを含むバッテリーパックを提供することを他の目的とする。
【課題を解決するための手段】
【００１１】
上記の課題を解決するため、本発明は、バッテリーパックのターミナルをカバーし、脱着可能に前記バッテリーパックに装着されるターミナルカバーであって、前記バッテリーパックのパックケースにフック結合するカバー本体と、前記カバー本体の両側面に設けられ、使用者の押圧によって前記カバー本体のフック結合を解除する脱去ガイド部と、を含むことを特徴とするターミナルカバーを提供する。
【００１２】
前記カバー本体の底部一側には、前記パックケースとフック結合するフックが備えられ、前記脱去ガイド部は、前記フックと所定の距離を隔てて離隔しており、前記使用者の押圧によって弾性変形されて、前記フックを前記パックケースから分離し得る。
【００１３】
前記脱去ガイド部は、前記カバー本体に一体で形成され得る。
【００１４】
前記脱去ガイド部は、前記弾性変形のための所定の空間を確保するために前記パックケースと所定の距離を隔てて離隔して配置され得る。
【００１５】
前記カバー本体は、弾性変形可能な軟性材質として設けられ得る。
【００１６】
前記ターミナルカバーは、前記カバー本体の内面に備えられ、前記ターミナルカバーの装着時、前記カバー本体の内面と前記ターミナルの外面との間に配置される弾性スペイサーをさらに含み得る。
【００１７】
そして、本発明は、バッテリーパックであって、前述の実施例による少なくとも一つのターミナルカバーと、前記ターミナルカバーによってカバーされる少なくとも一つのターミナルと、前記少なくとも一つのターミナルと電気的に接続するバッテリーモジュールと、前記バッテリーモジュールをパッケージングするパックケースと、を含むことを特徴とするバッテリーパックを提供する。
【００１８】
前記パックケースには、前記カバー本体とフック結合するフック結合部が設けられ得る。
【発明の効果】
【００１９】
以上のような多様な実施例によって、脱着によるパックケースの損傷を防止できるターミナルカバー及びこれを含むバッテリーパックを提供することができる。
【００２０】
また、本発明の多様な実施例によって、より容易な脱着性を有するターミナルカバー及びこれを含むバッテリーパックを提供することができる。
【００２１】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図面の簡単な説明】
【００２２】
【図１】本発明の一実施例によるバッテリーパックを説明するための図である。
【図２】図１のバッテリーパックの主要部の断面図である。
【図３】図１のバッテリーパックのターミナルカバーの脱去動作を説明するための図である。
【図４】図１のバッテリーパックのターミナルカバーの脱去動作を説明するための図である。
【図５】図１のバッテリーパックの他の実施例によるターミナルカバーを説明するための図である。
【発明を実施するための形態】
【００２３】
以下、添付された図面を参照して本発明の望ましい実施例を詳しく説明する。ここで説明される実施例は、発明の理解を助けるために例示的に示したものであり、本発明は、ここで説明する実施例とは相違するように多様に変形して実施できることを理解せねばならない。なお、発明の理解を助けるために、添付の図面は、実際の縮尺ではなく一部構成要素が誇張または省略されるか、概略的に示されることがある。
【００２４】
図１は、本発明の一実施例によるバッテリーパックを説明するための図であり、図２は、図１のバッテリーパックの主要部の断面図である。
【００２５】
図１及び図２を参照すれば、バッテリーパック１０は、バッテリーモジュール１００、パックケース２００、ターミナル３００、及びターミナルカバー５００を含み得る。
【００２６】
前記バッテリーモジュール１００は、少なくとも一つ、または複数個のバッテリーセルを含み得る。前記少なくとも一つ、または複数個のバッテリーセルは二次電池として備えられ得、例えば、パウチ型二次電池として備えられ得る。
【００２７】
このような前記バッテリーモジュール１００は、少なくとも一つ、または、複数個として設けられ得る。前記バッテリーモジュール１００の個数は、要求されるバッテリー容量に応じて決定され得る。
【００２８】
前記パックケース２００は、前記バッテリーモジュール１００をパッケージングし、前記バッテリーパック１０の外観を形成し得る。このような前記パックケース２００には、前記バッテリーモジュール１００を収容できる収容空間が備えられ得る。
【００２９】
このような前記パックケース２００には、フック結合部２０５が設けられ得る。
【００３０】
前記フック結合部２０５は、後述するターミナルカバー５００との結合のためのものであって、後述するターミナルカバー５００のフック５１５を固定することで、後述するターミナルカバー５００を前記パックケース２００に固定することができる。
【００３１】
前記ターミナル３００は、前記バッテリーモジュール１００と外部電源などを接続するためのものであって、前記バッテリーモジュール１００と電気的に接続し、前記パックケース２００の外に露出し得る。
【００３２】
このような前記ターミナル３００は、複数個が備えられ得、前記複数個のターミナル３００は、前記パックケース２００の外面の外に部分的に露出するように前記パックケース２００の外に突出し得る。
【００３３】
前記ターミナルカバー５００は、前記ターミナル３００を保護するためのものであって、前記パックケース２００の外に露出した前記ターミナル３００をカバーし得る。このような前記ターミナルカバー５００は、前記パックケース２００に装着され、前記ターミナル３００と前記外部電源などとの接続のために前記パックケース２００に脱着可能に装着され得る。
【００３４】
前記ターミナルカバー５００は、カバー本体５１０及び脱去ガイド部５３０を含み得る。
【００３５】
前記カバー本体５１０は、前記ターミナルカバー５００の前記パックケース２００に装着したとき、前記ターミナル３００をカバーできる。このような前記カバー本体５１０は、弾性変形可能な軟性材質として設けられ得る。
【００３６】
前記カバー本体５１０は、前記パックケース２００に脱着可能にフック結合し得る。
【００３７】
このために、前記カバー本体５１０には、フック５１５が設けられ得る。
【００３８】
前記フック５１５は、前記カバー本体５１０の底部一側に備えられ、前記パックケース２００と脱着可能にフック結合し得る。具体的に、前記フック５１５は、前記パックケース２００の前記フック結合部２０５に脱着可能にフック結合し得る。
【００３９】
前記脱去ガイド部５３０は、前記カバー本体５１０の両側面に設けられ、前記カバー本体５１０に一体で形成され得る。また、前記脱去ガイド部５３０は、前記カバー本体５１０と同じ材質として備えられ得る。これによって、前記脱去ガイド部５３０は、前記カバー本体５１０のような弾性変形可能な軟性材質として設けられ得る。
【００４０】
このような前記脱去ガイド部５３０は、使用者の押圧によって前記カバー本体５１０のフック結合を解除できる。具体的に、前記脱去ガイド部５３０は、前記フック５１５と所定の距離を隔てて離隔しており、前記使用者の押圧によって弾性変形されて前記フック５１５を前記パックケース２００から分離させて前記フック結合を解除する。
【００４１】
前記脱去ガイド部５３０は、前記弾性変形がより容易に行われるように前記パックケース２００と所定の距離を隔てて離隔して配置され得る。これによって、前記脱去ガイド部５３０と前記パックケース２００との間には、所定の空間Ｓが設けられ得る。
【００４２】
以下では、このような本実施例による前記ターミナルカバー５００の脱去動作についてより具体的に説明する。
【００４３】
図３及び図４は、図１のバッテリーパックのターミナルカバーの脱去動作を説明するための図である。
【００４４】
図３及び図４を参照すれば、前記バッテリーパック１０の運搬などのような移動時、前記バッテリーパック１０には、前記ターミナル３００を保護できるように前記ターミナルカバー５００が前記パックケース２００にフック結合によって装着され得る。
【００４５】
その後、前記バッテリーパック１０の運搬のような移動が終了すれば、前記ターミナル３００と前記外部電源などとの接続のために、前記パックケース２００から前記ターミナルカバー５００の脱去が必要となり得る。
【００４６】
このような前記ターミナルカバー５００の脱去時、作業者のような前記使用者は、前記ターミナルカバー５００の前記カバー本体５１０の両側に配置された前記脱去ガイド部５３０の両側を各々押圧し得る。このような前記使用者の押圧によって、前記カバー本体５１０の左右両側に配置された前記脱去ガイド部５３０が前記所定の空間Ｓの近所で弾性変形すれば、前記カバー本体５１０の上下両側も上下方向へ弾性変形できる。
【００４７】
このような前記カバー本体５１０の上下方向における弾性変形によって前記カバー本体５１０のフック５１５が前記パックケース２００の前記フック結合部２０５から放され、前記ターミナルカバー５００と前記パックケース２００とのフック結合が解除される。
【００４８】
このように、本実施例においては、前記ターミナルカバー５００の脱去を従来のような回転構造によって行うのではなく、使用者が脱去ガイド部５３０をグリップすることによって行うことができる。これによって、本実施例においては、従来のような回転構造における摩擦力の代りに、使用者の押圧による弾性力を用いるため、摩擦による前記パックケース２００の摩耗や破損などを防止することができる。
【００４９】
また、本実施例においては、前記使用者の押圧による弾性変形を用いて前記ターミナルカバー５００が前記パックケース２００から脱去されるため、従来のように別のコーティンググローブなどを着用しなくても前記使用者の素手でも前記ターミナルカバー５００をより容易に脱着することができる。
【００５０】
図５は、図１のバッテリーパックの他の実施例によるターミナルカバーを説明するための図である。
【００５１】
本実施例によるターミナルカバー６００は、前述の実施例によるターミナルカバー５００に類似しているので、以下、前述の実施例との差異を中心にして説明する。
【００５２】
図５を参照すれば、前記ターミナルカバー６００は、カバー本体６１０、脱去ガイド部６３０及び弾性スペイサー６５０を含み得る。
【００５３】
前記カバー本体６１０及び前記脱去ガイド部６３０は、前述した実施例の前記カバー本体５１０及び前記脱去ガイド部５３０と実質的に同一または類似であるため、以下、重複する説明を省略する。
【００５４】
前記弾性スペイサー６５０は、前記カバー本体６１０の内面に備えられ、前記ターミナルカバー６００の前記パックケース２００の装着時、前記カバー本体６１０の内面と前記ターミナル３００の外面との間に配置され得る。
【００５５】
このような前記弾性スペイサー６５０は、弾性を有するゴム材質として設けられ得る。例えば、前記弾性スペイサー６５０は、シリコーンゴム、スチレンブタジエンゴムなどからなり得る。
【００５６】
本実施例による前記弾性スペイサー６５０は、前記カバー本体６１０内で前記ターミナル３００の外面に密着するため、前記ターミナルカバー６００の前記パックケース２００の装着時、前記ターミナルカバー６００の予期せぬ離脱などをより確かに防止して前記ターミナルカバー６００の結合安定性を向上させることができる。
【００５７】
以上のような多様な実施例によって、脱着によるパックケース２００の損傷を防止することができるターミナルカバー５００、６００及びこれを含むバッテリーパック１０を提供することができる。
【００５８】
また、本発明の多様な実施例によって、より容易な脱着性を有するターミナルカバー５００、６００及びこれを含むバッテリーパック１０を提供することができる。
【００５９】
以上、本発明の望ましい実施例について図示及び説明したが、本発明は上述した特定の実施例に限定されず、特許請求の範囲に記載の本発明の要旨から外れることなく当該発明が属する技術分野における通常の知識を持つ者であれば、だれでも多様に変形できることは言うまでもなく、かかる変形は特許請求の範囲内に含まれる。
【符号の説明】
【００６０】
１０  バッテリーパック
１００  バッテリーモジュール
２００  パックケース
３００  ターミナル
５００、６００  ターミナルカバー
５１０、６１０  カバー本体
５３０、６３０  脱去ガイド部
【図１】
2020521296.tif 000003
【図２】
2020521296.tif 000004
【図３】
2020521296.tif 000005
【図４】
2020521296.tif 000006
【図５】
2020521296.tif 000007
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
バッテリーパックに脱着可能に装着される、前記バッテリーパックのターミナルをカバーするための、ターミナルカバーであって、
前記バッテリーパックのパックケースにフック結合するカバー本体と、
前記カバー本体に設けられた脱去ガイド部であって、前記カバー本体に設けられた脱去ガイド部が押圧されると前記カバー本体のフック結合を解除する、脱去ガイド部と、
を含むことを特徴とするターミナルカバー。
【請求項２】
前記脱去ガイド部は、前記カバー本体の両側面に設けられており、
前記カバー本体の両側面に設けられた脱去ガイド部が押圧されると、前記脱去ガイド部は、前記カバー本体のフック結合を解除することを特徴とする請求項１に記載のターミナルカバー。
【請求項３】
前記カバー本体には、
前記パックケースのフック結合部とフック結合するフックが備えられ、
前記脱去ガイド部は、前記フックと所定の距離を隔てて離隔しており、前記脱去ガイド部が押圧されると、前記脱去ガイド部は、弾性変形されて、前記フックを前記パックケースから分離することを特徴とする請求項１又は２に記載のターミナルカバー。
【請求項４】
前記フックは、前記パックケースのフック結合部に対応するように、前記カバー本体の底部の一側部分に設けられていることを特徴とする請求項３に記載のターミナルカバー。
【請求項５】
前記脱去ガイド部が、前記カバー本体に一体で形成されることを特徴とする請求項３又は４に記載のターミナルカバー。
【請求項６】
前記脱去ガイド部が、前記弾性変形のための所定の空間を確保するために前記パックケースと所定の距離を隔てて離隔して配置されることを特徴とする請求項３から５のいずれか一項に記載のターミナルカバー。
【請求項７】
前記カバー本体が、弾性変形可能な軟性材質として設けられることを特徴とする請求項１から６のいずれか一項に記載のターミナルカバー。
【請求項８】
前記カバー本体の内面に備えられ、前記ターミナルカバーの装着時、前記カバー本体の内面と前記ターミナルの外面との間に配置される弾性スペイサーをさらに含むことを特徴とする請求項１から７のいずれか一項に記載のターミナルカバー。
【請求項９】
少なくとも一つの、請求項１から８のいずれか一項に記載のターミナルカバーと、
前記ターミナルカバーによってカバーされる少なくとも一つのターミナルと、
前記少なくとも一つのターミナルと電気的に接続するバッテリーモジュールと、
前記バッテリーモジュールをパッケージングするパックケースと、
を含むことを特徴とするバッテリーパック。
【請求項１０】
前記パックケースには、前記カバー本体とフック結合するフック結合部が設けられることを特徴とする請求項９に記載のバッテリーパック。
【国際調査報告】
2020521296.tif 000008
2020521296.tif 000009
2020521296.tif 000010
2020521296.tif 000011